(57)【要約】【課題】  低コストで、従来の蛍光灯照明を、ＬＥＤ照明に交換する方法を提供する。【解決手段】商品陳列棚の上部または前部に設置されてなる枠に、ＬＥＤランプを備えたクリップライトを設置する。クリップの固定を確実にするため、予め設置された断面が円形のパイプからなる前記枠の前記パイプを、断面がＬ字型の金属製の二つのアングルで挟み、前記パイプを挟んだ前記二つのアングルの周囲にアルミニュームテープを巻きつけて固定する。又、パイプを、２枚の板状部材で挟み、前記２枚の板状部材をＶＥサドルで挟みその部分をアルミニュームテープで巻きつけることで固定し、クリップライトを取り付けることも可能である。【選択図】図１
2014203817.tif 000002
【特許請求の範囲】
【請求項１】
商品陳列棚等の上部または前部に設置されてなる枠にＬＥＤランプを備えた、クリップライトを設置してなることを特徴とする節電照明装置
【請求項２】
予め設置された断面が円形のパイプからなる前記枠の前記パイプを断面がＬ字型の金属製の二つのアングルで挟み、前記パイプを挟んだ前記二つのアングルの周囲にアルミテープを巻きつけて固定し、前記クリップライトを取り付けることを特徴とする、請求項１に記載の節電照明装置の設置方法。
【請求項３】
予め設置された断面が円形のパイプからなる前記枠の前記パイプを２枚の板状部材で挟み前記２個に前記クリップライトを取り付け２枚の板状部材をＶＥサドルまたはダブルクリップの少なくてもいずれかで挟みアルミテープ巻きつけて固定し、前記クリップライトを取り付けることを特徴とする、請求項１に記載の節電照明装置の設置方法。
【発明の詳細な説明】
【技術分野】
【０００１】本発明は大企業の節電、省エネが限界を迎える中で、小規模のスーパー、小規模事務所、家庭等は、電力消費量が少なく、節電費用交換費用等の負担もあり、節電が進んでいないことに鑑みてなされた照明節電システムに関するものである。
【背景技術】
【０００２】スーパー等では例えば商品陳列棚の照明は消費電力５０．４ｗの蛍光灯が使用され一店舗全体で陳列棚用の蛍光灯だけで約４００本の蛍光灯が使用されているのが現状である。
これらの照明の節電を行うためには誰しもが理解しているＬＥＤ照明に交換すれば大きな節電可能であるが、残念ながら、その交換のためには蛍光灯器材を含め多額の費用を計上する必要がある。【０００３】そのため、商品陳列棚用の照明も含め、照明の節電システムがなされていない。本発明は、スーパー等の商品陳列棚等の現況のセット器材をそのまま利用し、蛍光管を使用する蛍光灯照明ではなく、スポットライトなどに使用されるクリップライトを使用して、ＬＥＤ蛍光灯と同等の消費電力であり白熱電球４０、６０ｗ相当のＬＥＤ電球を使用することで、節電と照明器材の交換費用がその節電費用にて生み出され、新たな経費を計上することなく、照明器の節電低経費交換を行うものである。【０００４】これまでの蛍光灯照明の対処方法は、従来よりもより消費電力の少ない蛍光管に交換するか、より寿命の永い蛍光管に交換を行うこととかの一時的な対処方法で、大きな節電効果を行うことが難しいものであった。
【発明の概要】
【考案が解決しようとしている課題】
【０００５】従って、本発明の課題は低コストで、従来の蛍光灯照明を、ＬＥＤ照明に交換する方法を提供することにある。
【課題を解決するための手段】
【０００６】本発明においては、現況の蛍光灯照明をＬＥＤ照明に交換するためには、蛍光管だけではなく、蛍光灯器材を含めた全体の交換が行われなければならないという問題を解決するために、クリップライトに使用できるＬＥＤ電球を使用し、特にスーパー等の商品陳列棚等の照明にセットとすることとした。
【０００７】即ち、本発明は、商品陳列棚の上部または前部に設置されてなる枠に、ＬＥＤランプを備えたクリップライトを設置してなることを特徴とする、節電照明装置である。
【０００８】また、本発明は予め設置された断面が円形のパイプからなる前記枠の前記パイプを断面がＬ字型の金属製の二つのアングルで挟み、前記パイプを挟んだ前記の二つのアングルの周囲にアルミニュームテープを巻きつけて固定し、前記クリップライトを取り付けることを特徴とする、前記の節電照明装置の設置方法である。
【０００９】又、本発明は、予め設置された断面が円形のパイプからなる前記枠の前記パイプを２枚の板状部材で挟み、前記２枚の板状部材をＶＥサドルで挟むことで固定し、前記クリップライトを取り付けることを特徴とする、前記の節電照明装置の設置方法である。
【発明の効果】
【００１０】設置方法によれば、現在使用されている商品陳列棚の蛍光灯照明を支えている枠組みに、クリップライトの落下防止と安全に使用できるためのアングルなどの部材を使用し、そのまま現在の枠組みを使用することによって、節電のための交換経費費節約も行うことができることになる。従来の蛍光灯照明は節電を実施するときは、消費電力の少ないＬＥＤ照明に交換する場合、蛍光管の交換だけでなく蛍光灯照明器全体の交換が望まれ、その節電費用と交換費用の負担が大きくメリットとが少なくなかなか実施できないのが現状である。
【００１１】又、蛍光灯照明に替るクリップライトをセットする場合、その器材の形状がクリップライトに適さない場合は、落下危険やクリップライトそのものが設置できないこともあり注意しなければならない。
【００１２】一般に使用されている蛍光灯照明セットの場合、消費電力の少ないＬＥＤ照明に交換しようとする場合、現況の蛍光灯セットの器材を使用し蛍光管だけを交換し、使用することは難しく、蛍光灯照明器材全体の交換が望まれ、そのことによって節電の意義よりも交換する経費の問題があり、それらの交換が進んでいないのが現状である。
【００１３】本発明はそれらを克服できる製品として、同じＬＥＤ照明であるが蛍光管でなく蛍光管と同様の消費電力であるＬＥＤ電球を使用することによって節電と、現在使用されている蛍光灯照明器のそれらを支える枠組み器材を使用することで、新たな器材を使用することなく、そのことによって低経費による交換を行うことができることで解決することができた。
【００１４】そのＬＥＤ電球をセットするために利用する器材がクリップライトである。
例えば一般電球２０〜６０ｗを使用して、クリップライトはその照明器材として活用されている。そのクリップライトに通常の電球４０ｗ〜６０ｗをセットする場合クリップライトの口金サイズは２６であり、交換使用されるＬＥＤ電球のサイズも同様で、交換するにあたり何等の問題もないことが確認されている。
【００１５】又、現況の商品陳列棚照明機材を使用する場合、クリップライトを設置するためには陳列棚の器材をそのまま使用とするとき、陳列棚の照明器を支えている枠を構成するパイプは形状が丸型であることが多いため、そのままではクリップライトを固定しセットすることはできず、又、落下の原因にもなりえるので、このパイプをこのまま使用することはできないため、本発明においては、例えば、外径１９ｍｍのパイプを包み込む長方形外径２０ｍｍのアングルで長さが１０〜１５ｃｍのものを２個使用し、このアングルによって左右あるいは前後よりこの丸型パイプを包み込み、この包み込んだ状態のその後、そのクリップライトがアングルを挟み込んだ、その設置部分をさらにアルミテープにて結束、さらに部材ＶＥサドルにてクリップライトのアングルを挟み込んだ部分を挟み込み、さらにその設置部分をアルミテープにて結束することによって落下防止に備える。
【００１６】本発明はこのように節電するために利用できるＬＥＤ電球を使用するためのクリップライトを落下防止などに備え安全に使用できる方法を考案し、又、結束するテープはビニールテープでもよいが劣化し結束が弱化することもあるため、それらを考慮のうえ、アルミテープを使用することで問題を解決した。
【００１７】現在、スーパー等の商品陳列棚に使用されている蛍光灯では消費電力５０．４ｗが使用されている。これが本発明のシステムを使用するとき、蛍光灯５０．４ｗが一般電球６０ｗ相当のＬＥＤ電球に交換するとき、スーパーの営業時間は午前１０時より午後１１時までの１３時間営業で、蛍光灯５０．４ｗの場合１日の使用消費電力は６５５．２ｗとなるが交換されたＬＥＤ電球６０ｗの場合消費電力１０ｗであり１３時間使用でも１３０ｗで済むことになり、１個の電球で５２０ｗの節電となるが、スーパー１店舗の商品陳列棚の照明蛍光灯だけでも３００個以上使用されており、その節電量は大きな意味を持つことになる。
【００１８】また、ＬＥＤの寿命は４万時間でもあり蛍光灯交換の交換費用も節約でき、保守点検も簡便になる。その上、節電費用によってＬＥＤセットに交換される費用がかかることなく、新たな出費が必要ないという大きなメリットも生み出すことになる。
【００１９】このことによって本発明は、他の照明器や一般家庭、事務所においても使用できるセットであり、照明器専用の節電となるため、太陽光発電等と違い大きなスペースを必要とせず、本案は初期に多額の費用もなく交換設置することが可能である。
【図面の簡単な説明】
【００２０】
【図１】本発明に係わる照明装置の一例を示す図。
【図２】従来の照明器を支えている枠を構成するパイプにアングルを取り付けてテープを巻きつける一例を示す図。
【発明を実施するための形態】
【００２１】図１は本発明に係わる照明装置の一例を示す図である。ここに示したのはパイプ３を２枚の板状部材４ａ、４ｂで挟みＶＥサドル５で固定し、ＬＥＤランプ１が取り付けられたクリップライト２を取り付けた例である。
【００２２】図２は従来の照明器を支えている枠を構成するパイプ６に、一対のアングル７を取り付け、アルミニュームテープ８を巻き付ける一例を示す図で、このような状態にして、図１に示したクリップライトを挟み、ＬＥＤ照明として使用する。
【００２３】蛍光灯や、一般電球の照明用交換セットとして設置するため、できるだけ経費をかけない方法で行うため現在使用されている器材を使用することが理念であるが、その場合セットするクリップライトがセットできるかの器材であるか等の安全確認を行い、そのための部材調整と、クリップライトが照明されたときの角度などの調整を実施しセットする。
【００２４】クリップライトを設置する場所が、壁面、柱などの場合クリップライトを設置する場合丸型の形状では設置できないため角木材をクリップライトのサイズに合わせ釘、ネジ止めにて固定使用することも可能で合り又、アルミニュームアングル等も有効である。
【符号の説明】１・・・ＬＥＤランプ  ２・・・クリップライト  ３・・・パイプ
４ａ、４ｂ・・・板状部材  ５・・・ＶＥサドル  ６・・・パイプ
７・・・アングル  ８・・・アルミニュームテープ
【図１】
2014203817.tif 000003
【図２】
2014203817.tif 000004